(57)【要約】【課題】消火栓装置を監視員通路内に埋め込むようにして設置した場合においても、ホースや消火器の取り出しに支障が生ずることなく、また迅速な消火活動ができる消火栓装置を得る。【解決手段】本発明に係る消火栓装置１は、巻いた状態のホース３を横にして収納するホース収納部５を有し上面が開口した箱形状の本体部１１と、本体部１１の上面開口を覆う天板部１３を備えた消火栓装置１であって、天板部１３は、奥側の辺部が回動可能に取り付けられて開閉可能になっており、天板部１３における起立状態で前面側となる部位にホース３の引き出し時にホース３をガイドするホースガイド４９を備えていることを特徴とするものである。【選択図】  図１
2019010263.tif 000002
【特許請求の範囲】
【請求項１】
巻いた状態のホースを横にして収納するホース収納部を有し上面が開口した箱形状の本体部と、該本体部の上面開口を覆う天板部を備えた消火栓装置であって、
前記天板部は、奥側の辺部が回動可能に取り付けられて開閉可能になっており、前記天板部における起立状態で前面側となる部位に前記ホースの引き出し時に前記ホースをガイドするホースガイドを備えていることを特徴とする消火栓装置。
【請求項２】
前記ホースガイドは、ホースが挿通可能な上下方向に開口する開口部と該開口部を囲む辺部とを有してなり、前記天板部を起立させた状態で前記開口部の開口面の向きが水平又は先端側が下方に向かって傾斜するように設けられていることを特徴とする請求項１記載の消火栓装置。
【請求項３】
前記ホースガイドは、前記天板部を起立させた状態で少なくともその先端部が前記本体部の上端より下方に位置することを特徴とする請求項２記載の消火栓装置。
【発明の詳細な説明】
【技術分野】
【０００１】
本発明は、トンネル等に設置される消火栓装置に関する。
なお、本明細書において、消火栓装置に関する位置関係を説明する用語としての「奥側」とは消火栓装置を監視員通路に設置した状態において、トンネルの壁面側であり、「手前側」とは車道側をいう。
【背景技術】
【０００２】
トンネル等に設置される消火栓装置は、例えば特許文献１に開示されたように、消火栓装置の筐体を「トンネル壁面に形成された箱抜き部分」に設置していた。
【０００３】
しかしながら、最近の大口径のトンネルはシールド工法によって構築されることが多く、この場合、トンネルの壁面がトンネルの掘削と同時に鋼製のセグメントで構築されるため、特許文献１に開示されているような箱抜きをすることができない。
そのため、消火栓装置の本体の設置場所として、トンネル壁面ではなく、監視員通路内に埋め込むことが考えられ、このような態様のものとして特許文献２に開示されたトンネル用消火栓装置がある。
【０００４】
特許文献２に開示のものは、「トンネル側壁の路肩に沿って所定の高さに構築された監視員通路を備えたトンネルに設置されるトンネル用消火栓装置に於いて、前記監視員通路の路面側の側壁を装置前面として監視員通路の下部の空間に本体を収納したことを特徴とするトンネル用消火栓装置。」（特許文献２の請求項１参照）である。
【先行技術文献】
【特許文献】
【０００５】
【特許文献１】特開２０１５−４４０３９号公報
【特許文献２】特開２００１−９０５３号公報
【発明の概要】
【発明が解決しようとする課題】
【０００６】
特許文献２に開示のものは、本体内に引き出し可能に設けたトレイにホースリールや消火器を収納し、前記トレイを前面側に引き出すようにしている。そのため、消火栓装置の前面側にはトレイを引き出すための空間が必要となる。
しかしながら、消火栓装置の前面側は、車道に近く、事故車等が消火栓装置の前面側にあることもあり、消火栓装置の前面にはほとんど空間がないことも考えられる。そのため、消火活動に支障がでることが想定される。
【０００７】
また、特許文献２に開示されたもののように、車道側に引きだすトレイにホースリールや消火器を収納した場合、トレイの引き出しは車道側からしかできず、またホースや消火器の取り出しも車道側からしかできない。そのため、消火活動は車道からしかできず、円滑かつ効果的な消火活動を迅速に行うことができないという問題がある。
【０００８】
本発明はかかる課題を解決するためになされたものであり、消火栓装置を監視員通路内に埋め込むようにして設置した場合においても、ホースや消火器の取り出しに支障が生ずることなく、また迅速な消火活動ができる消火栓装置を得ることを目的としている。
【課題を解決するための手段】
【０００９】
（１）本発明に係る消火栓装置は、巻いた状態のホースを横にして収納するホース収納部を有し上面が開口した箱形状の本体部と、該本体部の上面開口を覆う天板部を備えた消火栓装置であって、
前記天板部は、奥側の辺部が回動可能に取り付けられて開閉可能になっており、前記天板部における起立状態で前面側となる部位に前記ホースの引き出し時に前記ホースをガイドするホースガイドを備えていることを特徴とするものである。
【００１０】
（２）また、上記（１）に記載のものにおいて、前記ホースガイドは、ホースが挿通可能な上下方向に開口する開口部と該開口部を囲む辺部とを有してなり、前記天板部を起立させた状態で前記開口部の開口面の向きが水平又は先端側が下方に向かって傾斜するように設けられていることを特徴とするものである。
【００１１】
（３）また、上記（２）に記載のものにおいて、前記ホースガイドは、前記天板部を起立させた状態で少なくともその先端部が前記本体部の上端より下方に位置することを特徴とするものである。
【発明の効果】
【００１２】
本発明に係る消火栓装置は、巻いた状態のホースを横にして収納するホース収納部を有し上面が開口した箱形状の本体部と、該本体部の上面開口を覆う天板部を備えたものであって、前記天板部は、奥側の辺部が回動可能に取り付けられて開閉可能になっており、前記天板部における起立状態で前面側となる部位に前記ホースの引き出し時に前記ホースをガイドするホースガイドを備えていることにより、例えば消火栓装置を監視員通路内に埋め込むように設置した場合、前記手前側天板部の開扉を車道側からでも監視員通路上からでも行うことができ、かつホースの引き出しや消火器の取り出しについても、車道側からでも監視員通路上からでも行うことができる。このため、火災時の消火活動を迅速かつ円滑に行うことができる。
また、ホースガイドを備えたことで、円滑なホースの引き出しを可能にしている。
【図面の簡単な説明】
【００１３】
【図１】本発明の実施の形態１に係る消火栓装置の開扉状態の斜視図である。
【図２】図１に示した消火栓装置の正面図である。
【図３】図１に示した消火栓装置の断面図である。
【図４】図１に示した消火栓装置の手前側天板部を閉扉した状態の斜視図である。
【図５】トンネル内の車道の路肩に構築された監視員通路に設けられた設置用空間内を説明する説明図である。
【発明を実施するための形態】
【００１４】
本実施の形態に係る消火栓装置は、設置場所が限定されるわけでないが、例えばトンネル内の車道の路肩に構築された監視員通路に設けられた設置用空間内に設置される場合に好適なものである。
そこで、まず消火栓装置の設置に好適な監視員通路の設置用空間について図５に基づいて説明する。
図５は、トンネルの路肩の監視員通路８３の一部を示したものであり、図中、８１はトンネル壁面、８３は監視員通路、８５は車道である。
【００１５】
設置用空間８７は、図５に示すように、監視員通路８３の前壁８９から監視員通路８３の車道幅方向に切り欠くように設けられ、監視員通路８３の軸線に直交する断面では設置用空間８７を形成する壁がＬ字形状になっている。監視員通路８３の路面には設置用空間８７の上面に該当する開口部があり、該開口部の開口縁部９１は、後述する消火栓装置１の天板部１３の周縁部（張出し部１５）が載置される３辺の部分が一段低くなった段部になっている。
なお、一般的に監視員通路８３における車道８５寄りには、落下防止用の柵（図示なし）が監視員通路８３に沿って設けられているが、上述の設置用空間８７に消火栓装置１を設置する場合には、設置用空間８７の部分には柵は設けられない。
【００１６】
上記のような設置用空間８７への設置に好適な本実施の形態の消火栓装置１を、図１〜図４に基づいて説明する。
消火栓装置１は、図１〜図４に示すように、巻いた状態のホース３を横にして収納するホース収納部５と消火器７を横に寝かせた状態で収納する消火器収納部９を有し上面が開口した箱形状の本体部１１と、本体部１１の上面開口を覆う天板部１３を備えている。
以下、消火栓装置１を構成する各部について詳細に説明する。
【００１７】
＜本体部＞
本体部１１は、ホース収納部５と消火器収納部９を有し、図１に示すように、上面が開口した略直方体形状をしている。
本体部１１の形状は、高さよりも奥行きの大きい扁平な直方体形状をしている。
本体部１１の両側部及び後辺部（奥側の辺部）には、外方に張出す張出し部１５が設けられている。
張出し部１５は、本体部１１を設置用空間８７内に収容する際に、設置用空間８７の開口縁部９１に形成された段部に載置する。これによって、張出し部１５及び天板部１３と、監視員通路８３の路面とが面一になる。なお、張出し部１５は少なくとも両側の２辺に設けられれば良く、その場合は開口縁部９１の段部も両側の２辺にだけあれば良い。
【００１８】
本体部１１の前面部には、赤色表示灯１７、非常時であることを監視員に知らせるための非常ボタン１９、非常ボタン１９を押したときに点灯する非常ランプ２１が設けられている。
以下、ホース収納部５と消火器収納部９について詳細に説明する。
【００１９】
《ホース収納部》
ホース収納部５は、ホース３を内巻きにした状態で横向き（巻いた状態でホース３により形成される筒体を縦にした向き）にして収納されている。このため、ホース収納部５は、高さよりも奥行きの大きい扁平な矩形状になっている。
なお、ホース収納部５へのホース３の収納は内巻き以外の収納形態でも良く、例えば、ホースリールにホース３を巻き付けるリール式の収納形態でも良い。リール式の場合でも、リールに巻き付けられたホース３は横向きに載置される。
【００２０】
ホース３の収納状態で、ホース３の先端に取り付けられた消火ノズル２３が手前寄りに載置又は保持されている。
また、ホース収納部５の図中左側の手前側には、消火栓弁を操作するための操作レバー２５が設けられている。
【００２１】
《消火器収納部》
消火器収納部９は、複数（本例では２本）の消火器７を横に寝かせた状態で収納できるようになっている。本実施の形態では、図１に示すように、第２手前側天板部３９の下方に２本の消火器７を本体部１１の幅方向に向けて寝かせて収納している。
なお、本例の消火器収納部９は、消火器７の上部側が若干だけ高くなるように消火器７を傾斜させて収納している。
消火器７を取り出す際には、消火器７の上部に設けられたレバー２７を持つことになるので、消火器７の上部側を高くすることで、消火器７を横に寝かせた状態であってもレバー２７を持ちやすくなり、消火器７の取り出しが容易になる。
【００２２】
なお、消火器収納部９における消火器７が載置される載置面を手前側に向かってさらに下り傾斜となる傾斜面にしてもよい。このような傾斜面を設けることで、手前側の消火器７を取り出すと奥側の消火器７が手前側に滑って移動するので、取り出しがより容易になる。
【００２３】
＜天板部＞
天板部１３は、図１、図４に示すように、奥行き方向で２分割され、手前側の手前側天板部２９と奥側の奥側天板部３１によって構成され、手前側天板部２９は、奥側の辺部が奥側天板部３１にヒンジによって回動可能に取り付けられて開閉可能になっている。
天板部１３は、閉止状態では、監視員通路８３の路面として作業者が通行できる。
奥側天板部３１は、幅方向で２分割され、第１奥側天板部３３と第２奥側天板部３５で構成されているが、いずれも常時は開放することなく、点検時に開放できるようにねじ等で固定されている。
また、手前側天板部２９はホース収納部５側の第１手前側天板部３７と、消火器収納部９側の第２手前側天板部３９と、点検用天板部４１に分割されている。
【００２４】
第１奥側天板部３３と第１手前側天板部３７の境界は、ホース収納部５の上方に位置している。このため、図１に示すように、第１手前側天板部３７を開放した状態でも、平面視で第１奥側天板部３３がホース３を覆うようになっている。このような配置にしたことで、第１奥側天板部３３がホース３の引き出し時にホース３に当接してホース引出し規制手段として機能する。すなわち、仮にホース３の上方を覆うものが何もない場合、操作レバー２５を操作して消火栓弁を開放してからホース３を引きだす際に、ホース３の動きを規制するものがないため、ホース３が水圧で暴れたり、あるいは無秩序にほどけてしまう場合があるが、奥側天板部３１がホース３を覆うように配置されていることで、ホース３に当接してホース３の暴れを防止したり、無秩序にほどけようとするのを規制したりすることができる。
なお、本実施の形態では、第１奥側天板部３３と第１手前側天板部３７の分割位置は、奥行き方向における中央部に位置しており、ホース収納部５の奥行き方向における中央部に位置している。
【００２５】
第１手前側天板部３７及び第２手前側天板部３９には、常時開放方向に付勢するガススプリング４３と、第１手前側天板部３７、第２手前側天板部３９を起立状態で保持する起立保持手段４５とが設けられている。
さらに、第１手前側天板部３７の内面（起立状態での前面）には、ホース３の先端に設けられた消火ノズル２３を保持するノズルホルダ４７（図１参照）、ホース３の引き出しをガイドするホースガイド４９が設けられている。
【００２６】
ガススプリング４３は、シリンダロッド５１の下端側が本体部１１の底部に回動可能に固定され、シリンダ５３の上端側が第１手前側天板部３７及び第２手前側天板部３９にそれぞれ回動可能に連結されている。ガススプリング４３は第１手前側天板部３７、第２手前側天板部３９を閉扉状態から回動させて開扉状態にする付勢力を有している。そして、第１手前側天板部３７及び第２手前側天板部３９には、第１手前側天板部３７及び第２手前側天板部３９を閉扉状態で保持したり、開扉させたりするための操作部５５が設けられている。操作部５５は、ラッチ５７（図１参照）を有しており、閉扉状態ではこのラッチ５７が本体部１１に係止して閉扉状態を保持するようになっている。
【００２７】
なお、ラッチ５７のみでは第１手前側天板部３７や第２手前側天板部３９の閉扉状態を確実に保持できないので、本実施の形態ではラッチ５７の動作と連動するラッチ機構５９を設けている。ラッチ機構５９は、ワイヤ６１を介して操作部５５と繋がっており、操作部５５を開操作することで操作部５５のラッチ５７とラッチ機構５９を同時に開状態にでき、操作部５５の操作のみで第１手前側天板部３７及び第２手前側天板部３９の開扉操作ができる。
また、上記では操作部５５の操作によってラッチ５７とラッチ機構５９を連動させる手段をワイヤ６１として説明したが、ラッチ５７とラッチ機構５９が連動すれば何でも良く、例えば、ステンレス等の棒形状のものを用いても同様の連動をさせることができる。
【００２８】
起立保持手段４５は、一端側が第１手前側天板部３７又は第２手前側天板部３９に回動可能に取り付けられ、他端側が本体部１１に係止可能に設けられた幅狭の板状部材によって構成されている（図１参照）。
起立保持手段４５の他端は、本体部１１に設けられた細溝６３に挿入されており、第１手前側天板部３７又は第２手前側天板部３９が起立状態になったときに細溝６３の周縁に係止可能になっている。
なお、第１手前側天板部３７及び第２手前側天板部３９は起立状態で直立するのが望ましいが、若干であれば前傾したり後傾したりしてもよく、閉扉状態から８０度〜１００度程度回動して保持されておればよい。
【００２９】
ホースガイド４９は、第１手前側天板部３７の内面側に設けられており、Ｕ字形状をしており、開扉状態においてＵ字の開口部４９ａ（Ｕ字の辺部で囲まれた空間部）が、ホース３が挿通可能な上下に開口するように取り付けられている。そして、ホース３は、ホースガイド４９のＵ字の開口部４９ａ内を上下方向に挿通された状態になっている。
なお、ホースガイド４９の形状はＵ字形状に限らず、第１手前側天板部３７の起立状態で前面側となる部位に張り出すように設けられ、例えば、コ字形状のようにホース３を挿入できる開口部４９ａと開口部４９ａを囲むように設けられてホース３をガイドできる湾曲又は屈曲する辺部４９ｂと有するものであればその形状は特に問わない。
【００３０】
本実施の形態のホースガイド４９は、図１〜図３に示すように、天板部１３を起立させた状態で開口部４９ａの開口面の向きが、先端側が下方に向かって傾斜するように設けられるのが好ましい（図３参照）。
開口面の先端側を下方に向かって傾斜させることで、ホース引出し時にホース３が辺部４９ｂと接触する接触面積を小さくすることができ、ホース引出し時の抵抗を少なくして円滑なホース引出しができる。
なお、ホース引出し時にはホース３が辺部４９ｂに接触するため、ホース引出しの力がホースガイド４９に伝わり、この力が第１手前側天板部３７を閉扉するように作用する。この点、本実施の形態では、起立保持手段４５を設けているので、第１手前側天板部３７が閉扉することはない。なお、第１手前側天板部３７を閉扉する際には、起立保持手段４５における細溝６３の周縁への係止を外して第１手前側天板部３７を押し下げるようにすればよい。
【００３１】
もっとも、開口部４９ａの開口面の水平面からの下方への傾斜角度θ（図３参照）を所定の角度範囲にすることで、ホース引出し時にホースガイド４９に作用する力を小さくすることができる。この理由を以下に説明する。
ホース引出し時には、ホース３はホースガイド４９の辺部４９ｂと本体１１の前側の上端部に接触する。ホースガイド４９は、ホース３をガイドするものであるが、ホース引出し時に常に接触している必要はなく、引き出すホース３が意図しない方向に引き出されそうになったときにホース３に接触して引き出し方向を制御できればよい。そのため、ホースガイド４９は、ホース３がその辺部４９ｂと接触しにくく、接触してもその接触面積が小さくなるようにすることで、ホース引出し時の力が小さくてすむ。このためには、ホースガイド４９は、少なくとも辺部４９ｂの先端部が本体１１の上端より下方に位置するようにするのが好ましく、本実施の形態において、その傾斜角度θは１０°以上である。また、本体１１の上端より辺部４９ｂ全体が下方に位置するまで傾斜させても良く、本実施の形態において、その傾斜角度θは３０°である。即ち、ホースガイド４９の少なくとも先端部が本体１１の上端より下方にあれば良く、θの好ましい範囲は、１０°〜３０°である。
θを好ましい範囲に設定することで、起立保持手段４５を不要にすることもでき、そうすることで、第１手前側天板部３７の閉扉の際に起立保持手段４５の係止を外す操作が不要となり、閉扉動作を簡単にすることができる。
【００３２】
なお、開口部４９ａの開口面の向きは水平又は水平よりも下方を向くのが好ましいが、本発明はこれに限定されるものではない。
【００３３】
点検用天板部４１は、常時はねじ固定されて閉扉されており、点検時のみにねじを外すことで開放可能になっている。なお、点検用天板部４１の下方には、図示しない配管系統等が配設されている。
【００３４】
上記のように構成された本実施の形態の消火栓装置１においては、通常時は天板部１３が閉扉状態になっており、天板部１３を監視員通路８３として使用できる。
火災時においては、第１手前側天板部３７及び／又は第２手前側天板部３９を開放することになるが、この開放は、車道８５側からでも、監視員通路８３の上からでも行うことができる。したがって、特許文献２に開示されたもののように、車道８５側からのみトレイの引き出しをするものに比較して、円滑な消火活動ができる。
【００３５】
第１手前側天板部３７を開扉するには、閉扉状態から操作部５５を操作してラッチ５７の係止解除を行う。これにより、第１手前側天板部３７は２本あるガススプリング４３の付勢力によって自動的に開扉し、図１〜図３に示すように起立状態で保持される。
第２手前側天板部３９も第１手前側天板部３７と同様の動作によって開扉する。したがって、第１手前側天板部３７及び第２手前側天板部３９の開扉作業が極めて円滑かつ容易に行うことができる。
【００３６】
本実施の形態では、手前側天板部２９を第１手前側天板部３７と第２手前側天板部３９に分割したので、例えば消火器７のみを取り出す場合において、第２手前側天板部３９が開扉しても第１手前側天板部３７は閉扉状態で通路として使用でき、消火活動の際の作業者の移動が円滑に行える。
【００３７】
また、第１手前側天板部３７と第２手前側天板部３９は開扉状態で、図１〜図３に示すように起立状態を保持するので、奥側天板部３１を通路として使用することができ、この点でも、作業者の移動が円滑にできるため、消火活動を効率的に行うことができる。
【００３８】
第１手前側天板部３７を開扉してホース３による消火を行う場合には、操作レバー２５を操作すると共に、ノズルホルダ４７から消火ノズル２３を取り外してホース３を引き出す。このとき、奥側天板部３１があることで、ホース３が水圧で暴れたり、あるいは無秩序にほどけてしまうのを防止できる点は上記の通りである。もっとも、ホース３の引き出されかたによっては、ホース３が奥側天板部３１に意図した以上に干渉して円滑な引出しができにくくなる場合も想定されるが、ホースガイド４９があることで、ホース３がホース３の巻きの中央近傍に常に引き出されるため、奥側天板部３１に過剰に規制されることなく、より円滑なホース３の引出しが可能となる。
【００３９】
さらに、上述したように、ホースガイド４９の開口面が下方に傾斜していることによって、ホース引出し時の抵抗が少なく、円滑なホース引出しが可能である。
【００４０】
以上のように、本実施の消火栓装置１は、第１手前側天板部３７及び第２手前側天板部３９の開扉動作が容易かつ円滑に行うことができ、ホース３の引き出しも容易であるという効果が得られている。
【００４１】
なお、上記の実施の形態においては手前側天板部２９、第１手前側天板部３７及び第２手前側天板部３９が平板の例を示したが、本発明における手前側天板部は、その前辺側が下方に屈曲して奥行き方向断面形状がＬ字状になるようにしてもよい。この場合、本体部の前面部の上部は前記手前側天板部の前辺側に対応して切り欠いて、高さを低くすればよい。このようにすれば、手前側天板部を開扉したときに、開放スペースが広く機器の取り出しをスムーズに行うことができ、円滑な消火活動に資することができる。
【００４２】
また、第１手前側天板部３７、第２手前側天板部３９を回動可能に取り付ける位置は、奥側天板部３１に限らず、本体部１１の側面に取り付けるようにしてもよい。
また、上記の実施の形態では、天板部１３を奥側と手前側で２分割した例を示したが、本発明の消火栓装置1の天板部１３は、奥行き方向で分割の有無や分割数は限定されるものではなく、分割していないものや分割数が３以上のものを含む。これらの場合であっても、ホースガイド４９は、天板部１３の背面側であって、開扉時には前面側を向く位置に設けられる。
【符号の説明】
【００４３】
１  消火栓装置
３  ホース
５  ホース収納部
７  消火器
９  消火器収納部
１１  本体部
１３  天板部
１５  張出し部
１７  赤色表示灯
１９  非常ボタン
２１  非常ランプ
２３  消火ノズル
２５  操作レバー
２７  レバー
２９  手前側天板部
３１  奥側天板部
３３  第１奥側天板部
３５  第２奥側天板部
３７  第１手前側天板部
３９  第２手前側天板部
４１  点検用天板部
４３  ガススプリング
４５  起立保持手段
４７  ノズルホルダ
４９  ホースガイド
４９ａ  開口部
４９ｂ  辺部
５１  シリンダロッド
５３  シリンダ
５５  操作部
５７  ラッチ
５９  ラッチ機構
６１  ワイヤ
６３  細溝
＜監視員通路＞
８１  トンネル壁面
８３  監視員通路
８５  車道
８７  設置用空間
８９  前壁
９１  開口縁部
【図１】
2019010263.tif 000003
【図２】
2019010263.tif 000004
【図３】
2019010263.tif 000005
【図４】
2019010263.tif 000006
【図５】
2019010263.tif 000007